【事件の表示】
　特願２０００−２２７７１５「遊技機」拒絶査定不服審判事件〔平成１４年　２月　５日出願公開、特開２００２−　３５２８８〕について、次のとおり審決する。
【結　論】
　本件審判の請求は、成り立たない。
【理　由】
１．手続の経緯
　本願は、平成１２年７月２７日の出願であって、平成１４年１１月２９日付けで通知された拒絶理由（最初の拒絶理由）に対して、平成１５年２月７日に手続補正がなされ、平成１５年４月２８日付けで拒絶査定がなされ、これに対し、平成１５年５月２９日に拒絶査定に対する審判請求がなされるとともに、同日付けで手続補正がなされ、平成１９年２月９日に当審において、平成１５年５月２９日付けの手続補正についての補正却下の決定がなされるとともに、同日付けで最後の拒絶理由が通知され、平成１９年４月１２日に手続補正がなされたものである。　
　　　　　　　　　　　　　　　　　　　　　　　　　　　　　　　　　
２．平成１９年４月１２日付けの手続補正（以下、「本件補正」という。）について
　　　　　　　　　　　　　　　　　　　　　　　　　　　　　　　　　
［補正却下の決定の結論］　
　平成１９年４月１２日付けの手続補正を却下する。 
　　　　 　　　　　　　　　　　　　　　　　　　　　　　　　　　　　
［理由］
（１）補正の目的について
　平成１９年４月１２日付けでなされた本件補正は、平成１５年５月２９日付けの手続補正が却下されているので、平成１５年２月７日付けの手続補正により補正された特許請求の範囲の、
「遊技に必要な複数種類の第１図柄(43)〜(45)が表わされた回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な表示手段(25)とを備え、変動要求に基づいて前記回胴体(19)〜(21)と前記表示手段(25)とを変動制御する変動制御手段(60)を設け、前記回胴体(19)〜(21)は、内部の前記表示手段(25)側を視認可能な視認部(20d)(21d)と視認不能な遮蔽部(20e) とを周方向に備え、前記表示手段(25)は、１コマに複数個の前記第２図柄(46)を停止表示してその複数個の第２図柄(46)によって複数種類の価値が生じるように構成したことを特徴とする遊技機。」
を以下のように補正することを含むものである。　
             　　　　　　　　　　　　　　　　　　　　　　　　　　
「表示ケース(18)内に、停止状態のときに第１図柄(43)〜(45)の１コマ又は複数コマが図柄表示領域(31)に対応するように、遊技に必要な複数種類の前記第１図柄(43)〜(45)が周方向に等間隔をおいて表わされた複数個の回胴体(19)〜(21)と、該各回胴体(19)〜(21)を別々に駆動する駆動手段(22)〜(24)とを備え、各回胴体(19)〜(21)の回転後に前記図柄表示領域(31)の入賞ライン(36)上で停止する複数個の停止図柄が特定態様となった場合に遊技者に有利な利益状態を発生させるようにした遊技機において、前記各回胴体(19)〜(21)の一側に配置された支持板(37)〜(39)を前記表示ケース(18)内に着脱自在に設け、該各支持板(37)〜(39)の側面に、該支持板(37)〜(39)と反対側に駆動軸(40)〜(42)を備えた前記各駆動手段(22)〜(24)を装着し、前記各駆動軸(40)〜(42)に、前記各回胴体(19)〜(21)の前記各支持板(37)〜(39)と反対側の端部に設けられたハブ部（１９ａ）を固定し、前記入賞ライン(36)に対応して前記回胴体(19)〜(21)の内周近傍に配置され且つ遊技に必要な複数種類の第２図柄(46)を変動表示可能な電気式の表示手段(25)を前記駆動手段(22)〜(24)と同一側で前記支持板(38)の側面に装着し、変動要求に基づいて前記各回胴体(19)〜(21)と前記表示手段(25)とを変動制御する変動制御手段(60)を設け、内部に前記表示手段(25)が配置された前記回胴体(20)は、前記表示手段(25)側を視認可能な視認部(20d) と視認不能な遮蔽部(20e) とを周方向に備え、前記遮蔽部(20e) には前記視認部(20d) を基準に前記第１図柄(43)〜(45)を周方向に略等間隔をおいて配置したことを特徴とする遊技機。」 　　　 　　　　　　　　　　　　　　　　　　　　　　　　　　　　　
　本件補正により、特許請求の範囲の請求項１は、補正前に発明特定事項とされていた「前記表示手段(25)は、１コマに複数個の前記第２図柄(46)を停止表示してその複数個の第２図柄(46)によって複数種類の価値が生じるように構成」なる事項が削除されている。 
　ところで、最後に受けた拒絶理由通知に応答してする補正は、平成１８年改正前特許法第１７条の２第３項に規定する、願書に最初に添付した明細書又は図面に記載した事項の範囲内においてしなければならないだけでなく、同法第１７条の２第４項各号に掲げる事項を目的とするものに限られている。
　そして、補正前の発明特定事項の一部を削除する本件補正は、同法第１７条の２第４項第２号に規定する限定的減縮を目的とするものに該当しないばかりでなく、同法第１７条の２第４項のその他各号に規定する、請求項の削除、誤記の訂正、明りょうでない記載の釈明を目的とする補正でないことも明らかであるから、本件補正は、同法第１７条の２第４項各号のいずれにも適合しない。
　　　　　　　　　　　　　　　　　　　　　　　　　　　　　　　　　
（２）むすび
　以上のとおり、本件補正は、平成１８年改正前特許法第１７条の２第４項の規定に違反するものであるので、特許法第１５９条第１項の規定において読み替えて準用する同法第５３条第１項の規定により却下すべきものである。 
　　　　　　 　　　　　　　　　　　　　　　　　　　　　　　　　　　
３．本願発明について 
　平成１９年４月１２日付けの手続補正は上記のとおり却下され、平成１５年５月２９日付けの手続補正も却下されているので、本願の請求項１に係る発明（以下、「本願発明」という。）は、平成１５年２月７日付けの手続補正書の特許請求の範囲の請求項１に記載された事項により特定される、以下のとおりのものである。
「遊技に必要な複数種類の第１図柄(43)〜(45)が表わされた回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な表示手段(25)とを備え、変動要求に基づいて前記回胴体(19)〜(21)と前記表示手段(25)とを変動制御する変動制御手段(60)を設け、前記回胴体(19)〜(21)は、内部の前記表示手段(25)側を視認可能な視認部(20d)(21d)と視認不能な遮蔽部(20e) とを周方向に備え、前記表示手段(25)は、１コマに複数個の前記第２図柄(46)を停止表示してその複数個の第２図柄(46)によって複数種類の価値が生じるように構成したことを特徴とする遊技機。」
　　　　　　　　　　　　　　　　　　　　　　　　　　　　　　　　　
（１）引用発明
　当審における平成１５年５月２９日付けの拒絶理由に引用した、本願の出願前に頒布された刊行物及び周知例として例示した刊行物には、次の発明または技術事項が記載されている。
　　　　　　　　　　　　　　　　　　　　　　　　　　　　　　　　　
引用刊行物等
　刊行物：特開平３−６０６８１号公報　　　　　　　　　　　　　　　
　周知例：１．特開平７−１９４８０９号公報　　　　　　　　　　　　
　　　　　２．特開平９−２５３２８８号公報　　　　　　　　　　　　
　　　　　３．特開平２０００−１５７６７９号公報　　　　　　　　　
　　　　　　　　　　　　　　　　　　　　　　　　　　　　　　　　　
（１-1）特開平３−６０６８１号公報
　特開平３−６０６８１号公報（以下、「引用例」という。）には以下の記載がある。
a．「スロットマシンの外観を示す第３図において、前面パネル２には３個の表示窓３〜５が設けられ、表示窓３〜５の奥には第１〜第３リール６〜８が回転自在に配置されている。これらのリール６〜８の外周には一定ピッチで複数個のシンボルが配列され、各々シンボル列を構成している。」（第２頁右下欄第１−７行）
b．「１〜３枚のコインを投入口１０から入れた後、スタートレバー１２を操作すると第１〜第３リール６〜８が一斉に回転し、リールごとに設けられたストップボタン１３〜１５を押すとリールが停止する。」（第２頁右下欄第１７−２０行）
c．「第１リール６は二重構造をしたリールユニット２０の外側リールとなっており、その内側には同軸で回転自在な内リール１７が設けられている。これらの第１リール６及び内リール１７は、それぞれステッピングモータ１８，１９の駆動軸１８a，１９aに直結され、各々個別に駆動される。」（第３頁左上欄第８−１４行）
d．「第１リール６の外周には、図示のように「７」，「プラム」，「オレンジ」，・・・等のシンボルが配列されるとともに、特殊シンボルとしてほぼシンボル１個分の大きさの開口窓２５が形成されている。また、内リール１７の外周にも「７」，「プラム」，「ＢＡＲ」その他のシンボルが配列されている。」（第３頁左上欄第１９行−右上欄第５行）
e．「第１リール６の開口窓２５が表示窓に現れているときには、開口窓２５を通して内リール１７のシンボル１個を観察することができる。・・・開口窓２５の大きさを複数個分のシンボルサイズに対応した大きなものにしてもよい。」（第３頁右上欄第１２−１８行）
f．「第１リール６、内リール１７を駆動するステッピングモータ１８，１９の回転及び停止は、それぞれモータ制御回路３０，３１によって制御される。同様に、第２リール７、第３リール８を駆動するステッピングモータ３２，３３の回転、停止はモータ制御回路３４，３５によって制御される。」（第３頁左下欄第４−１０行）
g．「第１〜第３リール６〜８の回転が停止した時点で、カウンタ４６，４８，４９のカウント値が第１〜第３シンボルテーブル５８〜６１と対照され、入賞の有無が確認される。さらに第１リール６が「開口窓」を停止表示しているときには、開口窓２５を通して観察される内リール１７についてもカウンタ４７のカウント値が参照され、シンボル判定が行われる。」（第５頁左下欄第１６行−右下欄第３行）
h．「第１リール６だけでなく、第２、第３リールについても開口窓と内リールとからなる二重構造のリールユニットにすることもでき、・・・さらに、通常ゲームの開始と同時に内リール１７も回転させるように・・・することも可能である。」（第６頁右下欄第３−１２行）
i．「第７図は、本発明の他の実施例を示すもので、例えば前述した第１実施例の第１リール６の代わりに用いることができる。ステッピングモータ７０によって駆動されるリール７１の外周には複数のシンボルが一定ピッチで配列され、そのシンボル配列中にはシンボル１個分の開口７２が形成されている。・・・リール７１の内壁には、液晶表示パネル７５の他、電池及び表示パターンデータを格納したメモリを含むドライブユニット７６、光信号受光部７７が取り付けられ、液晶表示パネル７５の表示面は、開口７２から露出している。」（第７頁左上欄第２−１４行）
j．「液晶表示パネル７５には複数種類のシンボルが順次に表示され、擬似的にシンボルの移動表示が行われる。そして、停止制御時には予め停止シンボル決定回路５４で決められたシンボル表示を行うように、表示データ発信器７８を駆動すれば、すでに述べた第１実施例と同様の機能を得ることができる。」（第７頁右上欄第１４−２０行）
　　　　　　　　　　　　　　　　　　　　　　　　　　　　　　　　　
　上記の記載によれば、引用例（特開平３−６０６８１号公報）には、第１実施例における「第１リール６」の代わりに「リール７１」（以下、「リール７１」を「第１リール７１」という。）を用いた「他の実施例」が記載されており（摘示i．j．第７図）、該「他の実施例」に係る発明（以下、「引用発明」という）は以下のものと認められる。
　「前面パネル２には３個の表示窓３〜５が設けられ、表示窓３〜５の奥には第１リール７１、第２リール７、第３リール８が回転自在に配置されており、これらのリールの外周には一定ピッチで複数個のシンボルが配列され、各々シンボル列を構成しており、スタートレバー１２を操作すると第１〜第３リール７１〜８が一斉に回転し、リールごとに設けられたストップボタン１３〜１５を押すとリールが停止するスロットマシンであって、第１リール７１の外周には複数のシンボルが一定ピッチで配列され、そのシンボル配列中にはシンボル１個分の開口７２が形成され、第１リール７１の内壁には、液晶表示パネル７５の他、電池及び表示パターンデータを格納したメモリを含むドライブユニット７６、光信号受光部７７が取り付けられ、液晶表示パネル７５の表示面は開口７２から露出し、液晶表示パネル７５には複数種類のシンボルが順次に表示され、擬似的にシンボルの移動表示が行われ、停止制御時には予め停止シンボル決定回路５４で決められたシンボル表示を行うように、表示データ発信器７８を駆動するものであり、ステッピングモータ７０によって駆動される第１リール７１の外周には、「７」，「プラム」，「オレンジ」，・・・等のシンボルが配列されるとともに、特殊シンボルとしてほぼシンボル１個分の大きさの開口７２が形成され、また第１リール７１を駆動するステッピングモータ１８の回転及び停止は、モータ制御回路３０によって制御され、同様に、第２リール７、第３リール８を駆動するステッピングモータ３２，３３の回転、停止はモータ制御回路３４，３５によって制御されるものであり、第１リール７１、第２リール７、第３リール８の回転が停止した時点で入賞の有無が確認され、さらに第１リール７１が「開口」を停止表示しているときには、開口７２を通して観察される液晶表示パネル７５のシンボル表示についてもシンボル判定が行われるものであり、通常ゲームの開始と同時に液晶表示パネル７５のシンボルの移動表示をさせるようにすることも可能な、スロットマシン。」
　　　　　　　　　　　　　　　　　　　　　　　　　　　　　　　　　
（１-2）周知例１（特開平７−１９４８０９号公報）
　当り図柄のうち「７・ＪＡＣ」，「ベル・ＢＡＲ」，および「チェリー・星」の「重複図柄」は、１個の図柄に２種類分の図柄と同様の価値を付与したものであり、たとえば、「７・ＪＡＣ」には、「７」と「ＪＡＣ」との２種類の図柄の価値が付与され、同様に、「ベル・ＢＡＲ」には、「ベル」と「ＢＡＲ」との２種類の図柄の価値が、「チェリー・星」には、「星」と「チェリー」との２種類の図柄の価値が、それぞれ付与されている、遊技機。（段落【００７７】【００７８】、図８）
　　　　　　　　　　　　　　　　　　　　　　　　　　　　　　　　　
（１-3）周知例２（特開平９−２５３２８８号公報）　
　特別図柄表示器Ｌは特別図柄表示部Ｌ１〜Ｌ３に区分表示可能とし（図２（Ａ））、第１グループである特別図柄表示部Ｌ１、Ｌ２には、図２（Ｂ）に示すように、図柄「１、２、３、Ａ、４、５、Ｚ、６、７、Ｃ」をこの順序で変動表示し、第２グループである特別図柄表示部Ｌ３には、図柄「１、２、３Ａ、４、５Ｚ、６、７Ｃ」を変動表示し、非特定図柄である、「１」、「２」、「A」、「４」、「Z」、「６」、「C」より成る「１、１、１」「２、２、２」「Ａ、３Ａ、Ａ」「４、４、４」「Ｚ、５Ｚ、Ｚ」「６、６、６」「Ｃ、７Ｃ、Ｃ」（７通り）の図柄組み合わせは非特定図柄の組み合わせであり、特定図柄である、「３」、「５」「７」より成る「３、３Ａ、３」「５、５Ｚ、５」「７、７Ｃ、７」（３通り）の図柄組み合わせは特定図柄の組み合わせとし、図柄「３Ａ」、「５Ｚ」、「７Ｃ」は、非特定図柄の組み合わせと特定図柄の組み合わせの両方を構成可能とした遊技機。（段落【０００９】【００１４】、図２、図６）
　　　　　　　　　　　　　　　　　　　　　　　　　　　　　　　　　
（１-4）周知例３（特開平２０００−１５７６７９号公報）         　　
　複数種類の識別情報を可変表示可能な可変表示装置を有し、該識別情報には複数の識別情報分の識別機能を担保したグルーピング識別情報を含み、該グルーピング識別情報とは、例えば、０〜９までの図柄（複数の識別情報）がある場合に、そのうちの「８、９、０」を１つのグルーピング図柄としてグループ化した図柄配列のパターンにおいては、「８」、「９」、「０」という３つの図柄がグループ化されて「８、９、０」という１つのグルーピング図柄にまとめれており、この１つのグルーピング図柄により「８」、「９」、「０」という３種類の図柄の識別機能を担保している、遊技機。（特許請求の範囲、段落【００５０】【００５１】、図９）
　　　　　　　　　　　　　　　　　　　　　　　　　　　　　　　　　
（２）対比判断
　本願発明と引用発明とを対比すると、引用発明における「（リールの）シンボル」は本願発明における「第１図柄」に対応しており、以下同様に、「リール」は「回胴体」に、「（第１リール７１の）内壁」は「（回胴体の）内部」に、「移動表示」は「変動表示」に、「（液晶表示パネルの）シンボル」は「第２図柄」に、それぞれ対応しており、さらに引用発明について次のことがいえる。
(i) 引用発明は、「第１リール７１、第２リール７、第３リール８」の「外周には一定ピッチで複数個のシンボルが配列され、各々シンボル列を構成し」（摘示a．）ており、上記「複数個のシンボル」は、遊技に必要な複数種類の「シンボル」（本願発明における「第１図柄」に対応する。）を実質的に意味しているから、本願発明を特定する「遊技に必要な複数種類の第１図柄」に対応するものであるとえる。
　また、引用発明において、「第１リール７１」は「ステッピングモータ７０」（摘示i．）によって、[第２リール７、第３リール８」は「ステッピングモータ３２，３３」（摘示f．）によって、それぞれ別々に駆動されるものであるから、同引用発明は、本願補正発明を特定する「回胴体を別々に駆動する駆動手段」の事項に対応する構成を備えているといえる。
　そうすると、同引用発明は、本願発明を特定する「遊技に必要な複数種類の第１図柄(43)〜(45)が表わされた回胴体(19)〜(21)と、該回胴体(19)〜(21)を別々に駆動する駆動手段(22)〜(24)」の事項に対応する構成を備えているということができる。
　　　　　　　　　　　　　　　　　　　　　　　　　　　　　　　　　
(ii) 引用発明は、「第１リール７１の内壁」（本願発明における「回胴体(19)〜(21)の内部」に対応する。）には、「液晶表示パネル７５」が「取り付けられ」ており、上記「液晶表示パネル７５」には「複数種類のシンボルが順次に表示され、擬似的」に「シンボル」（本願発明における「第２図柄」に対応する。）の「移動表示」（本願発明における「変動表示」に対応する。）が「行われ」（摘示i．j．）るものであり、上記「液晶表示パネル７５」は、本願発明における「表示手段」に包含されるものであるといえる。
　そうすると、同引用発明は、本願発明を特定する「前記回胴体(19)〜(21)の内部に配置され且つ第２図柄(46)を変動表示可能な表示手段(25)」の事項に対応する構成を備えているということができる。
　　　　　　　　　　　　　　　　　　　　　　　　　　　　　　　　　
(iii) 引用発明は、「スタートレバー１２を操作すると第１〜第３リールが一斉に回転」（摘示b．）することで「シンボル」が変動を開始するものであり、上記「スタートレバー１２」の「操作」は、「変動」開始の契機となるという点で、本願発明における、「変動要求」に対応するものということができるとともに、「第１リール７１を駆動するステッピングモータ１８の回転及び停止は、モータ制御回路３０によって制御され、同様に、第２リール７、第３リール８を駆動するステッピングモータ３２，３３の回転、停止はモータ制御回路３４，３５によって制御され」（摘示f．）ることで、上記した「変動要求」に基づいた「第１〜第３リール」（「回胴体(19)〜(21)」）の「変動」の制御が行われるものといえる。
　また引用発明は、「液晶表示パネル７５には複数種類のシンボルが順次に表示され、擬似的にシンボルの移動表示が行われ、停止制御時には予め停止シンボル決定回路５４で決められたシンボル表示を行うように、表示データ発信器７８を駆動」（摘示ｊ．）するものであり、「表示パターンデータを格納したメモリを含むドライブユニット７６」（摘示ｉ．）は、「シンボルの移動表示」を開始するよう「表示データ発信器７８を駆動」するものということができ、これにより、「変動要求に基づい」た「液晶表示パネル７５」（「表示手段(25)」）の「変動」の制御が行われるものといえる。
　以上をまとめると、引用発明は、変動要求に基づいて「第１〜第３リール」（「回胴体(19)〜(21)」）と「液晶表示パネル７５」（「表示手段(25)」）とを変動制御するものであり、実質上、変動を制御するための制御手段を備えているということができ、同引用発明は、本願発明を特定する「変動要求に基づいて前記回胴体(19)〜(21)と前記表示手段(25)とを変動制御する変動制御手段(60)を設け」の事項に対応する構成を備えているということができる。
　　　　　　　　　　　　　　　　　　　　　　　　　　　　　　　　　
(iv) 引用発明において、「第１リール７１の内壁には、液晶表示パネル７５」が「取り付けられ」ており、また、「第１リール７１の外周には複数のシンボルが一定ピッチで配列され、そのシンボル配列中にはシンボル１個分の開口７２が形成され」（摘示i）て、「液晶表示パネル７５」（「表示手段」）の「表示面は、開口７２から露出」（摘示i．）していることにより、前記「第１リール７１」の「開口７２」から「内壁」（「内部」）に「取り付けられ」た「液晶表示パネル７５」（「表示手段」）側を視認できるものであり、上記「開口７２」は本願発明を特定する「視認部」に対応するものであるといえる。
　また、引用発明における前記「第１リール７１」の「開口７２」を除く部分は、「液晶表示パネル７５」（「表示手段」）側を視認不能とされていることから、本願発明を特定する「遮蔽部(20e)」に対応する部分であり、上記した「開口７２」（「視認部」）と該「開口７２」を除く部分とは「第１リール７１」の「外周」（本願補正発明を特定する「周方向」に対応する。）に備えられているといえる。
　そうすると、同引用発明は、本願発明を特定する「前記回胴体(19)〜(21)は、内部の前記表示手段(25)側を視認可能な視認部(20d)(21d) と視認不能な遮蔽部(20e) とを周方向に備え」の事項に対応する構成を備えているということができる。
　　　　　　　　　　　　　　　　　　　　　　　　　　　　　　　　　
(v) 引用発明は「スロットマシン」に関する発明であり、本願発明における「遊技機」の概念に包含されるものである。
　　　　　　　　　　　　　　　　　　　　　　　　　　　　　　　　　
　以上の事項より、本願発明と引用発明とは以下の点で一致し、また、相違していると認められる。
一致点；
　遊技に必要な複数種類の第１図柄が表わされた複数個の回胴体と、該回胴体を別々に駆動する駆動手段と、前記回胴体の内部に配置され且つ第２図柄を変動表示可能な表示手段とを備え、変動要求に基づいて前記回胴体と前記表示手段とを変動制御する変動制御手段を設け、前記回胴体は、内部の前記表示手段側を視認可能な視認部と視認不能な遮蔽部とを周方向に備えた遊技機、である点。
　　　　　　　　　　　　　　　　　　　　　　　　　　　　　　　　　
相違点；
　表示手段は、本願発明においては、１コマに複数個の前記第２図柄を停止表示してその複数個の第２図柄によって複数種類の価値が生じるように構成したのに対して、引用発明においては、１コマに１個の図柄を停止表示するものである点。
　　　　　　　　　　　　　　　　　　　　　　　　　　　　　　　　　
  上記の相違点について検討する。
　１コマに複数個の図柄を停止表示して該複数個の図柄によって複数種類の価値が生じるように構成した遊技機の図柄は、例えば上記の周知例１ないし３に例示されるように、「重複図柄」としてよく知られている。
  そして、これらの周知技術を参酌し、遊技機に包含される発明である引用発明において、「液晶表示パネル７５」に「移動表示」される「シンボル」（本願発明における「第２図柄(46)」に対応する。）を、上記した周知の「重複図柄」とすることに格別な困難性を伴うわけではなく、また、上記のように図柄を改変することを妨げる格別な要因が存在するわけでもない。
　しかも、本願発明の効果も、引用発明および周知技術から当業者が予測しうる範囲内のものであって、格別顕著なものとはいえない。
　したがって、本願発明は、引用発明及び周知技術に基いて、当業者が容易に発明をすることができたものである。
　　　　　　　　　　　　　　　　　　　　　　　　　　　　　　　　　
４．むすび
　以上のとおり、本願発明は、引用発明及び周知技術に基いて、当業者が容易に発明をすることができたものであるので、特許法第２９条第２項の規定により特許を受けることができないものであり、本願の他の請求項について検討するまでもなく、本願は拒絶すべきものである。 
　よって、結論のとおり審決する。